(57)【特許請求の範囲】
【請求項１】
短い円筒の母線に沿って、かつ中心軸線に関して対称的に一対のスリットを形成すると共に、その円周の一方の開口を覆うように取付対象物に固定される前面板を一体に結合してなるカップ状の内筒と、内筒とほぼ同じ長さの有底のカップ状の円筒体で、開口を相互に対向させるようにして、内筒の外側に回動可能に被嵌され、内筒のスリットと同幅のスリットの２対を９０°の角度間隔を保って形成した外筒と、上記前面板の中央部を貫通するように、かつ回動可能に装着されると共に、鍵孔を開口させた内筒と同軸のキーガイドと、内筒の直径方向に延在する細長い板状体で、その板厚方向を内筒の軸線方向に一致させた状態で軸線方向に沿って積層して配設され、中央部に鍵のシャンクが遊嵌できる差込み穴を形成すると共に、長さ方向に移動可能に案内されて長さ方向に付勢された複数枚のタンブラーと、外筒の底板に配設され、キーガイドに差込まれた鍵の先端部を係合するクラッチ手段とを有し、上記タンブラーの長さを内筒と外筒との間のシアーラインの直径に等しく設定すると共に、差込み穴の開口端縁の一部を鍵溝の谷部に当接する当接部とし、また、上記差込み穴の形状を、鍵の挿入時にこれと干渉せずに鍵の挿入を許容しかつ鍵の回動を許すと共に、鍵の所定方向への９０°の回動時、鍵溝の谷部がタンブラーの付勢力に抗して当接部を押動して各タンブラーの両端をシアーラインに揃えるように設定し、一方、外筒のクラッチ手段は、鍵の最初の９０°の回動時内筒及び外筒を残して鍵のみ遊動させ、鍵の更なる回動時、固定の内筒を残して鍵及び外筒を連結して一体に回動できるような構造とし、一方、上記タンブラー群のうち、少なくとも１個のタンブラーを休止タンブラーとして指定し、この休止タンブラーはその一端に係止スロットが形成されて、工事専用のコンストラクションキーが使用されている間は、内筒内部に装着された係止片と係合して常時休止タンブラーの両端がシアーラインに揃っており、他方、タンブラー群のうち上記休止タンブラーを除いて少くとも１個を解除タンブラーとして指定し、この解除タンブラーはその一端に板カムが形成されており、コンストラクションキー使用時には、解除タンブラーの長さ方向の移動が行われず、合鍵を初めて使用した時、合鍵のシャンクが解除タンブラーを長さ方向に移動させることにより、前記板カムが前記係止片を押動して係止片と休止タンブラーの係止スロットとの係合を解くようにしたことを特徴とするコンストラクションキー装置付きカップ錠。
【発明の詳細な説明】
【０００１】
【発明の属する技術分野】
この発明は、一般的なシリンダ錠よりも鍵の差込み方向の寸法を小さくすると共に、コンストラクションキー装置を合鍵で解除できるようにした新規なカップ錠に関する。
【０００２】
【従来の技術】
例えばディスクシリンダ錠のような複数のタンブラを備えたシリンダ錠の施解錠に用いられる細長い板状の鍵（合鍵）においては、鍵の抜き差しに際し、楔作用を利用してタンブラーをその長さ方向に押動する為、鍵溝の前後には傾斜案内部を必要としている。
【０００３】
その為、隣り合う二つのタンブラー間の距離を大きく取らなければならないことになり、従って該シリンダ錠の鍵の差込み方向の寸法（錠の軸線方向の寸法）を大きくとらなければならない。
【０００４】
鍵の取付対象物がかばん類やシャッタ(よろい戸)である場合、その取付部分が極く薄いので不都合を生じることがある。通常このような場合、タンブラー数を減らした錠前を使用するが、タンブラーの数を減らせば必然的に鍵違いが減少するので好ましくない。
【０００５】
又、錠の取付対象物が住居の一部である場合には、施工業者はコンストラクションキー（工事専用錠）という特殊の鍵で錠前の施解錠を行い高じ完了後にコンストラクションキー装置を解除すればコンストラクションキーが使用不能となり施主が所有する合鍵だけが使用できるようになった錠が知られている。
【０００６】
ここで合鍵とは、いわゆるスペアーキー（予備の鍵）のことではなく、一つの錠前を解除するための正規の鍵形状を有する鍵をいう。
【０００７】
従来のコンストラクションキー装置は、工事完了後においてコンストラクションキー装置を解除するのに業者が特殊な工具を用いて行っており、施主が単独で出来ないという問題がある。
【０００８】
【発明が解決しようとする課題】
この発明のカップ錠は、従来のシリンダ錠よりもタンブラー数を減少させることなく、鍵の差込み方向の寸法、すなわち、錠の軸線方向の寸法を小さくすると共に、コンストラクションキー装置を具備し、コンストラクションキー装置を解除するのに特殊工具を使用することなく、合鍵により行えるようにするために開発されたものである。
【０００９】
【課題を解決するための手段】
上記の目的を達成するため、請求項１に記載の発明は、短い円筒の母線に沿って、かつ中心軸線に関して対称的に一対のスリットを形成すると共に、その円周の一方の開口を覆うように取付対象物に固定される前面板を一体に結合してなるカップ状の内筒と、内筒とほぼ同じ長さの有底のカップ状の円筒体で、開口を相互に対向させるようにして、内筒の外側に回動可能に被嵌され、内筒のスリットと同幅のスリットの２対を９０°の角度間隔を保って形成した外筒と、上記前面板の中央部を貫通するように、かつ回動可能に装着されると共に、鍵孔を開口させた内筒と同軸のキーガイドと、内筒の直径方向に延在する細長い板状体で、その板厚方向を内筒の軸線方向に一致させた状態で軸線方向に沿って積層して配設され、中央部に鍵のシャンクが遊嵌できる差込み穴を形成すると共に、長さ方向に移動可能に案内されてさ長さ方向に付勢された複数枚のタンブラーと、外筒の底板に配設され、キーガイドに差込まれた鍵の先端部を係合するクラッチ手段とを有し、上記タンブラーの長さを内筒と外筒との間のシアーラインの直径に等しく設定すると共に、差込み穴の開口端縁の一部を鍵溝の谷部に当接する当接部とし、また、上記差込み穴の形状を、鍵の挿入時にこれと干渉せずに鍵の挿入を許容しかつ鍵の回動を許すと共に、鍵の所定方向への９０°の回動時、鍵溝の谷部がタンブラーの付勢力に抗して当接部を押動して各タンブラーの両端をシアーラインに揃えるように設定し、一方、外筒のクラッチ手段は、鍵の最初の９０°の回動時内筒及び外筒を残して鍵のみ遊動させ、鍵の更なる回動時、固定の内筒を残して鍵及び外筒を連結して一体に回動できるような構造とし、一方、上記タンブラー群のうち、少なくとも１個のタンブラーを休止タンブラーとして指定し、この休止タンブラーはその一端に係止スロットが形成されて、工事専用のコンストラクションキーが使用されている間は、内筒内部に装着された係止片と係合して常時休止タンブラーの両端がシアーラインに揃っており、他方、タンブラー群のうち上記休止タンブラーを除いて少くとも１個を解除タンブラーとして指定し、この解除タンブラーはその一端に板カムが形成されており、コンストラクションキー使用時には、解除タンブラーの長さ方向の移動が行われず、合鍵を初めて使用した時、合鍵のシャンクが解除タンブラーを長さ方向に移動させることにより、前記板カムが前記係止片を押動して係止片と休止タンブラーの係止スロットとの係合を解くようにしたことを特徴とする。
【００１０】
【発明の実施の形態】
以下、図面に示す実施例に基いて、この発明について説明する。
図１乃至図４において、符号１０はかばん類又はシャッタ（よろい戸）等のこの発明に係るカップ錠の取付対象物、符号１は短い有底円筒状の内筒を示し、この内筒１は、前面板１１の一部をなすフランジ部１２を通る鋲又は止めねじ９等で取付対象物１０にに固定される。
【００１１】
また、図１において、符号２は内筒１の外周に回動可能に装着された有底円筒状の外筒、符号２３は内筒１のフランジ部１２の背面に対し裏側から外筒２のフランジ部２２を可動な状態で押さえつけてある段付き柱状をなす押え片である。
【００１２】
前記の前面板１１は内筒１に対し図示のように一体としてもよいし、別体として固設してもよい。また、押さえ片２３は図示のものに限らないことはいうまでもない。
【００１３】
前述の固定の内筒１の前面板１１の中央部には、該内筒１の中心軸線の回りに回動可能なキーガイド４が装着してある。このキーガイド４は、例えば段付きの円板状をなし、正面から見て中央部には鍵孔４１が穿設されている（図３参照）。
【００１４】
一方、図３において、符号４２は鍵孔４１に設けられたウォードで、図１１及び図１２に示すコンストラクションキー５Ａ及び合鍵５Ｂの凹溝として形成されたウォード５３に対応させて、凸条として形成してある。
【００１５】
また、内筒１の中央部に嵌め込まれた可動のキーガイド４は、内筒１の前面板１１にかしめ付けされたカバー板１３によって離脱できないように押さえつけてある。
【００１６】
後述するように、この発明におけるキーガイド４は、その鍵孔４１に差込まれたコンストラクションキー５Ａ或いは合鍵５Ｂにより固定の内筒１に対し１８０°の角度範囲で回動されることになるが、その回動の両端部でコンストラクションキー或は合鍵が抜き出された後に、キーガイド４が内筒１に対し回動方向にずれ動くと、次にコンストラクションキー或は合鍵を差込む時にキーガイド４に続く後述のタンブラー６に対する差込みにおいて支障を来たすことがある。
【００１７】
そこで、キーガイド４は内筒１の前面板１１との間にクリック手段（図示しない）を設けるを可とする。クリック手段としては、板ばねを用いたもの、小球と圧縮コイルばねの組合せでなるもの等を採用することができる。
【００１８】
更に、内筒１の内側には、その中心軸線と直交するようにして、細長い薄い板状の係止片であるタンブラー６が複数枚設けてあり、これらのタンブラー６、６は板厚方向を内筒の軸線方向に一致させた状態で軸線方向に沿って積層されている。
【００１９】
この発明においては、これら複数のタンブラーのうち、少くとも１個を休止タンブラーとして指定し、また休止タンブラーを除いて少なくとも他の１個を解除タンブラーとして指定する。
【００２０】
この実施例においては、図１において、前面板１１の方から数えて３番目乃至６番目のタンブラー６−３〜６−６を休止タンブラーとして指定し、同じく８番目のタンブラー６−８を解除タンブラーとして指定する。
【００２１】
休止タンブラー６−３〜６−６及び解除タンブラー６−８を除いた他のタンブラー６−１、タンブラー６−２及びタンブラー６−７を図６及び図７に示す。
【００２２】
又、休止タンブラー６−３〜６−６を図８及び図９に示す。図示のように、休止タンブラーの側端縁部には幅方向に突出する一対の突起６６が一体的に形成され、これら一対の突起６６、６６の間には係止スロット６７が形成されている。
【００２３】
一方、図１０に示すように、解除タンブラー６−８の側端縁部には、これと斜交し、タンブラーの長さ方向に延在する端縁６９を有する板カム６８が一体的に形成されている。
【００２４】
上記したそれぞれのタンブラー６には長さ方向に沿って前後二つの案内長孔６４が一直線上で開口しており、内筒１の前面板１１にかしめ付け等により固設された一対の保持棒７１、７１（図５参照）により保持案内されている。
【００２５】
そして、板厚方向において相互に隣接する２つのタンブラー６、６が互いに平行な位置関係を保ち、適当な間隔を隔てて保持されるようにするため、これらタンブラー６、６の間における保持棒７１に形成された溝にＥ−リング等のスペーサ７２が嵌込まれる。
【００２６】
このようにして、各タンブラー６はその長さ方向においては保持棒７１と案内長孔６４の係合により長さ方向の移動の範囲が適切に制限され、厚さ方向においてはスペーサ７２によってタンブラー６、６間の間隙が適切に設定されて長さ方向の移動の円滑さが保証されている。
【００２７】
また、図示例のカップ鍵においては、２つで対をなすようにして装着した１組のタンブラー６、６間に共通のタンブラーばね６５としての引張りコイルばねが掛け渡してあり、左右で互いに逆向きに装着した各タンブラー６の一端６ａが外筒２の胴部に向かうように付勢させてある。
【００２８】
但し、タンブラーばね６５は一対のタンブラー６、６で共通のものとはせずに格別に設けてもよく、ばねの種類も圧縮コイルばね等他の種類のものとしてもよい。
【００２９】
タンブラーばね６５をタンブラー６に対し格別に設けるときは、そのばねの一端はタンブラーに係止させ、他端は内筒１内に固定した取付棒等に係止させるとよい。
【００３０】
隣り合う２組（２対）のタンブラー６、６及び６、６は、互いにタンブラーばね６５の位置を高さ方向にずらせてあるが、このように構成した理由は、タンブラー間の間隔に比較してタンブラーばねのコイル直径が大きく、よって隣り合うタンブラーばね６５、６５どうしが相互に干渉していないようにするためである。
【００３１】
また、１組のタンブラー６、６において、それらを左右で互いに逆向きに装着した理由は、図１１及び図１２に示すように細長い板状のコンストラクションキー５Ａ及び合鍵５Ｂのシャンク５１における両側辺に鍵溝５２、５２を設けたためである。
【００３２】
図示はしないが、シャンク５１の一側辺にのみ鍵溝５２を設けた場合は、全てのタンブラーを内筒１内で同じ向きに装着する。
【００３３】
更に、各タンブラー６の中央部には、図６乃至図１０に明示するように、コンストラクションキー或いは鍵が差込まれる例えばＤ字形の差込み穴６１が開口しており、その差込み穴６１は、コンストラクションキー或いは合鍵の回動操作時それらのシャンク５１の回動方向の移動軌跡と干渉しないように形成された逃がし部６２及び該シャンク５１の一側辺又は他側辺に設けた鍵溝５２の谷部５２ａと当接する直線状の当接部６３から形成されている。
【００３４】
一方、キーガイド４に挿入されるコンストラクションキー５Ａ或は合鍵５Ｂの側面に現れる鍵溝５２の形状は、図１１に示すコンストラクションキー及び図１２に示す合鍵に見られるように、タンブラー６の板厚よりもやや幅広の矩形の溝となる。
【００３５】
図１１及び図１２から明らかなように、この発明によるカップ錠の鍵は、従来の通常の鍵のように鍵溝の両側に傾斜部を形成する必要がないので、その分長さが短くなる。
【００３６】
前記のように谷部５２ａを円弧面に形成した鍵５によれば、この円弧面とタンブラーの当接部６３とが相互に当接して係合した状態では、鍵５の僅かの左右方向への回動に対して当接部６３、すなわちタンブラー６は動かないので、後述の外筒２の回動がスムーズになる。
【００３７】
次に、この発明のカップ錠における錠前としての機能的構造について説明する。便宜上、コンストラクションキー５Ａを使用しての説明は後述することとし、先ず合鍵５Ｂを使用する場合について説明する。
【００３８】
解除タンブラー６−８を除いて、タンブラー６−１〜６−７は、固定の内筒１と可動の外筒２との間に形成されるシアーラインＳ（図１４参照）の直径分に相当する長さを有している。
【００３９】
なお、この場合、各タンブラー６−１〜６−７の両端は、円弧状のシアーラインに合わせて円形の円弧の一部をなすように成形するを可とする。
【００４０】
また、各タンブラー６−１〜６−７は合鍵５Ｂを差込んでいない自由状態においては（この際、カップ錠としては解錠状態であっても施錠状態であってもよい）、一端６ａを内筒１に１８０°の角度間隔を隔てて設けた２つの貫通スリット１５、１５の一つを通じ、外筒２に９０°の角度間隔を隔てて設けた４つの係合スリット２５、２５の一つに係合させてある（図１３参照）。
【００４１】
更にまた、合鍵５Ｂの９０°の回動操作時、該タンブラーの両端６ａ、６ｂがシアーラインＳに合致して、係合スリット２５に対するタンブラーの係合（係止）
が解かれるように設定されている。（図１４参照）
【００４２】
次に、上記構造について更に詳細に説明する。
【００４３】
すなわち、各タンブラー６−１〜６−７の差込み穴６１の形状大きさを固定すると共に、差込み穴６１及び案内長孔６４、６４の相対関係位置を固定し、タンブラーが内筒に装着され、タンブラーばね６５により付勢された状態において、合鍵５Ｂの回動中心点Ｒが差込み穴６１内に存在し、しかもこの点Ｒと当接部６３との距離が合鍵のシャンクの板厚の半分よりもやや大きくなるように設定する（図１３参照）。
【００４４】
このようにしたタンブラーを左右対称にして内筒に装着すると、図２及び図１３に示すように、内筒軸線方向に列設された当接部６３、６３の端縁が合鍵５Ｂのシャンク５１のガイド孔すなわち従来のシリンダ錠の鍵孔と同様の機能を発揮し、合鍵５Ｂの差込みをスムーズにする。
【００４５】
そして、対応する鍵溝５２の深さに応じて、合鍵５Ｂが９０°回動した時タンブラーの両端がシアーラインＳに合致するように当接部６３と一端の基準点Ｑとの距離を定め、次いでタンブラーの他端の端縁位置をシアーラインＳの直径分だけ離間するように定める。（図１４参照）
【００４６】
または、タンブラーの外形を同形にすると製作上及び管理上便利であるとの考えから出発すれば、その外形を固定し、対応する鍵溝５２の深さに応じて差込み穴６１、案内長孔６４、６４の総体一関係を固定した状態で、これらを左右にずらせて開口させる。
【００４７】
これら２つのタンブラー設定方法は結局同じであって、この場合当接部６３を鍵孔の一部として使用できる。
【００４８】
また、タンブラーの外形及びこのタンブラーの外形輪郭に対する案内長孔６４、７４の相対関係位置を一定にし、鍵溝５２の深さに応じて差込み穴６１の位置のみを変化させてもよい。
【００４９】
上記のようにタンブラーを形成することにより、差込まれた合鍵５Ｂを当初の第１位置（図１３参照）から例えば矢印Ａのように右回りに９０°回動させると、タンブラー６はタンブラーばね６５の弾力に抗して図１４に示すように変位し、各タンブラーの両端６ａ、６ｂが内筒１と外筒２との間のシアーラインＳに共に合致することになる。
【００５０】
ところで、キーガイド４を通じてカップ錠に差し込まれた合鍵５Ｂのシャンク５１における先端は、内筒１及び複数のタンブラーを貫通し、外筒２の後方側の底板２１に設けたクラッチ手段８に嵌め込まれている。
【００５１】
図示例のクラッチ手段８は、図４に明示するように、外筒２の底板２１に穿設しただるま状のクラッチ穴でそのクラッチ穴は合鍵５Ｂの回動操作においてシャンク５１の先端を逃がす遊動部８１及びシャンク５１の側面が当接する衝合部８２からなる。
【００５２】
そこで、合鍵を第１位置から図１４に示す第２位置に回動させる間は、シャンク５１の先端は外筒に対してはそのクラッチ手段８の遊動部８１の存在により空動きすることになるので、シャンク５１はその鍵溝５２において内筒１内のタンブラーのみを作動させ、タンブラー６の両端６ａ，６ｂをシアーラインＳに合致させることになる。
【００５３】
従って、タンブラー６の端部を介しての内筒１及び外筒２の相互の係合が解け、可動の外筒２は固定の内筒１に対して相対回動が可能となる。
【００５４】
そこで、前記の合鍵５Ｂ（図１４参照）から更に矢印Ｂのように右回りに９０°の角度を回動させると、シャンク５１の先端における側面でクラッチ手段８の衝合部８２が押されることになり、外筒１は同方向に回動し、第３位置（当初の第１位置から１８０°回動した位置）において、シャンク５１の鍵溝５２は各タンブラーとの嵌まり合いの状態から完全に外れることになる。
【００５５】
従って、内筒１内のタンブラー６の一端６ａは、タンブラーばね６５の弾力により該内筒１の貫通スリット１５から再び突出し、外筒２の係合スリット２５に係合するので、外筒２は内筒１に対し回動不能に係止される。そして合鍵５Ｂはこの第３位置で抜き出される。
【００５６】
また、合鍵５Ｂを第２位置から第３位置に回動させてる間に、合鍵５Ｂのシャンク５１の先端又は外筒２に設けた図示しない作用部材等に連係させた図示しない錠機構によって取付対象物１０は施解錠される。
【００５７】
前記のように谷部５２ａを円弧面に形成した合鍵５Ｂによれば、その合鍵５Ｂの回動によりシアーラインＳに位置するタンブラー６の一方の端部６ａを外筒２の係合スリット２５の一つに係合させるとき、その初動のわずかな回動範囲では各タンブラーを静止させることになるので、突出する一端６ａが外筒２の係合スリット２５の縁部に衝突したりすることがなく、この折のタンブラーの動きをスムーズにすることができる。
【００５８】
以上の説明は、合鍵５ｂを使用してこの発明のカップ錠を施解錠操作するときの構造説明であるが、次にコンストラクションキー５Ａを使用して施解錠操作するときの構造について説明する。
【００５９】
前記したように、この発明のカップ錠においては少くとも１個の休止タンブラーが指定され、また、休止タンブラーのほかに少くとも１個の解除タンブラーが指定されている。
【００６０】
しかして、この実施例では、４個のタンブラー６−３〜６−６を休止タンブラーとして、タンブラー６−８を解除タンブラーとして設定している。
【００６１】
コンストラクションキー５Ａは、合鍵５Ｂが使用される前の時点（例えば錠の取付対象物が施主に引き渡される前）において使用されるが、この時点においては、休止タンブラーは下記に示す方法により施解錠を制御するというタンブラーとしての機能が休止されている。
【００６２】
図１５及び図１６に示すように内筒１の前面板１１の内側面には止めねじ３２によりＬ形断面のブラケット３１が固定され、このブラケット３１には止めねじ３３及び皿ばね３４により略矩形の係止片３が内筒１の半径方向に摺動可能に装着されている。
【００６３】
図示の実施例では、この係止片３は板状をなし、その板面は内筒１の中心線に平行で中心線に向かって装着され、皿ばね３４の弾力によりブラケット３１の表面に強く圧接されている。従って、小さな外力や振動等によっては容易に動かないように取付けられる。
【００６４】
一方、前述したように休止タンブラー６−３〜６−６の一端には係止スロット６７が形成され、係止片３が内筒１の中心に向かって近接した位置において係止スロット６７と係止片３とは相互に係合し、休止タンブラーはその長さ方向の動きが拘束される。
【００６５】
しかして、カップ錠の製作に当っては、図１５及び図１６に示すように、係止片３を内筒１の中心方向に近接させ、係止片を休止タンブラー６−３〜６−６の係止スロット６７内に挿入し係合させておく。
【００６６】
なお、各休止タンブラー６−３〜６−６の外形に対する係止スロット６７の位置関係は、上記係合状態にある時、各係止タンブラーの両端６ａ、６ｂがシアーラインＳに合致するように設定されている。（図１６参照）
【００６７】
よって、各休止タンブラーの一端６ａは、この状態においては、常時、外筒２の係合スリット２５に挿入されることなく、施解錠を制御するというタンブラーとしての機能が休止される。
【００６８】
一方、解除タンブラー６−８は、前記したように、その一端に斜縁６９を有する板カム６８が形成されている。更にこの解除タンブラーは他の各タンブラーとは異なり、その両端６ａ、６ｂ間の長さが短く、長さ方向のどちら側に移動しても常時その両端６ａ、６ｂは外筒２の係合スリット２５とは係合しない長さに設定されていて、施解錠を制御するためのタンブラーとしての機能は有しないものとなっている。
【００６９】
コンストラクションキー５Ａは、図１１に示すように、タンブラー６−１〜６―２及びタンブラー６−７と係合する位置にある鍵溝５２は合鍵５Ｂと全く同じ形状であり、休止タンブラー６−３〜６−６及び解除タンブラー６−８と係合する位置にある鍵溝５２はシャンク中心部に近くまで深くカットされている。
【００７０】
よって、このコンストラクションキー５Ａのシャンク５１を鍵孔４２に挿入して回動させた時、タンブラー６−１〜６−２及びタンブラー６−７に関しては合鍵５Ｂを使用したときと同様の作用が行われ、一方、休止タンブラー６−３〜６―６はタンブラーとしての機能が休止されており、解除タンブラー６−８はタンブラーとしての機能が休止されており、解除タンブラー６−８はタンブラーとしての機能は有していないから、施解錠が支障なく行われることとなる。
【００７１】
このとき、解除タンブラー６−８と係合する位置にある鍵溝５２は深くカットされているから、解除タンブラーの動きには何らの影響を与えることもない。
【００７２】
次に、コンストラクションキー５Ａを使用しての施解錠操作が不要となり（例えば錠の取付対象物が施行業者から施主に引き渡された場合）、合鍵５Ｂを初めて使用する場合について説明する。
【００７３】
合鍵５Ｂの構造については先に説明した通りであるが、図１２に示したように解除タンブラー６−８と係合する位置にある鍵溝５２はカットされておらず合鍵５Ｂを鍵孔４１に挿入したときシャンク５１の側縁が解除タンブラー６−８と係合する。
【００７４】
すなわち、合鍵５Ｂを初めて鍵孔４１に挿入した右回りに９０°回動させると、シャンクの側縁が解除タンブラー６−８の差込み穴６１の当接部６３を押動して解除タンブラーを長さ方向に移動させる。(図１８参照)
【００７５】
解除タンブラー６−８の長さ方向への移動は解除タンブラーに一体的に形成された板カム６８と同方向に移動させ、板カムの斜縁６９と接触している係止片３を楔作用により、係止片とブラケット３１との間の摩擦力に抗して外方向へ押動する。
【００７６】
このとき、係止片３の移動量は休止タンブラー６−３〜６−６と係止片３との係合を解くに充分なだけの長さに設定されいるものとし、この結果、休止タンブラー６−３〜６−６は係止片３から解放されて長さ方向への移動が可能になる。
【００７７】
しかして、合鍵５Ｂを更に９０°回動させてから鍵孔４１から抜いたあとも、係止片３はブラケット３１との間の摩擦力により外方へ移動した位置に保持され、休止タンブラー６−３〜６−６は施解錠を制御するという本来のタンブラーとしての機能を獲得するに至る。
【００７８】
次にこの発明のカップ錠の作用について説明する。
図１５は合鍵５Ｂが使用される前のカップ錠の側面図を示す。但し、内筒１及び内筒２は中心線に沿っての断面図を示す。
【００７９】
内筒１に対し、タンブラー６―１〜６―２及びタンブラー６―７をもって回動可能な外筒２が係止されており、一方、休止タンブラー６−３〜６−６は係止片３と係合して施解錠を制御する機能が休止され、又、解除タンブラー６−８は施解錠を制御する機能は有していない。
【００８０】
この外筒２が係止された状態では、カップ錠の取付対象物１０は解錠状態であっても施錠状態であってもよいが、説明の都合上、図１５の状態は取付対象物１０が解錠状態にあるものとしてその施錠作用について以下に述べる。
【００８１】
図１７及び図１９は図１５の錠における可動のキーガイド４の鍵孔４１に対しコンストラクションキー５Ａを単に差し込んだ状態を示している。前述したように、コンストラクションキーの鍵溝５２には図１１に示すようにタンブラーをスムーズに誘導するための傾斜案内部を要しない。
【００８２】
コンストラクションキー５Ａが差し込まれた当初の位置である第１位置では、シャンク５１は全タンブラー６の差込み穴６１に挿通され、シャンク５１の先端は外筒２の底板２１に設けたクラッチ手段８に差込まれている。
【００８３】
この第１位置にあるコンストラクションキー５Ａを例えば図１３の矢印Ａのように時計方向に回動させると、シャンク５１の先端は不動な状態に係止された外筒２の底板２１におけるクラッチ手段８によって遊動する一方で、シャンク５１の基部は鍵溝５２の溝をもって各タンブラーの差込み穴６１における当接部６３部分に櫛のように差し込まれる。
【００８４】
コンストラクションキー５Ａが第１位置から９０°回動された第２位置に至る間に、鍵溝５２の各谷部５２ａは休止タンブラー６−３〜６−６及び解除タンブラー６−８を除く、夫々対応するタンブラーの差込み穴６１における直線的な当接部６３を押圧する。
【００８５】
そして、図２０に示すように、コンストラクションキー５Ａが時計方向に回動して第２位置に達すると、タンブラーばね６５に抗して押し動かされた各タンブラーが両端６ａ、６ｂを共にシアーラインＳに合致させ、各タンブラーによる外筒２の係合スリット２５に対する係合が解かれるので、外筒２は内筒１に対し回動可能な状態となる。
【００８６】
第２位置にあるコンストラクションキー５Ａを図１４の矢印Ｂで示すように更に時計方向に回動させると、シャンク５１の先端はクラッチ手段８を介して接続されている回動可能な外筒２と共に回動し、コンストラクションキー５Ａが更に９０°回動された第３位置においては、タンブラーばｂね６５の付勢力により、休止タンブラー６−３〜６−６及び解除タンブラー６−８を除いた各タンブラーの一端６ａが再び外筒２の係合スリット２５に係合する。
【００８７】
コンストラクションキー５Ａを第２位置から第３位置に回動操作させる間に、コンストラクションキー５Ａのシャンク５１の先端又はコンストラクションキ―と共に回動する外筒２により、錠機構（図示しない）が作動し、もって取付対象物１０が施錠される。施錠後は、コンストラクションキーをキーガイド４から抜き取る。
【００８８】
また、施錠状態にある取付対象物１０を解錠させるには、キーガイド４の鍵孔４１を通じて、コンストラクションキー５Ａを差込み、そこにおいて、第３位置を占めるコンストラクションキー５Ａを施錠時とは逆向きの左回りに１８０°回動させると、コンストラクションキー５Ａは第２位置を経て第１位置に至るので、そこでコンストラクションキーを抜き出せばよい。この間に各部材は施錠時に準じて作動し、図１９の解錠状態に復帰する。
【００８９】
取付対象物１０の工事が終了して、施主が施解錠を行う時には、コンストラクションキー５Ａに代えて合鍵５Ｂを使用する。
【００９０】
初めて合鍵５Ｂをキーガイド４１に差し込んだ状態は図１７と同じであり、休止タンブラー６−３〜６−６は係止片３と係合して施解錠を制約する機能は休止されている。
【００９１】
次に、第１位置にある合鍵５Ｂを９０°右回りに回動させると、合鍵５Ｂの解除タンブラー６−８と係合する位置にあるシャンク側縁が解除タンブラー６−８の当接部６３を押動し、解除タンブラーに一体的に形成された板カム６８を同方向に移動させながら第２位置に達する。（図１８参照）
【００９２】
板カムの移動は、その斜縁６９による楔作用により、休止タンブラー６−３〜６−６の係止スロット６７に係合している係止片３を外方に押動する。この結果休止タンブラーの係止スロット６７と係止片３との係合が解かれ、休止タンブラーは長さ方向への移動が可能となる。
【００９３】
第２位置にある合鍵５Ｂを更に右回りに回動させると、コンストラクションキー５Ａの使用時と同様に外筒２と共に回動し、９０°回動された第３位置においては、タンブラーばね６５の付勢力により解除タンブラー６−８を除いた各タンブラー６の一端６ａが外筒２の係合スリット２５に係合する。
【００９４】
ここで注意すべきことは、この時点において休止タンブラー６−３〜６―６が初めて外筒２の係合スリット２５と係合することであり、この時点以後はコンストラクションキー５Ａを使用しての施解錠は不可能となる。
【００９５】
第３位置に回動されたあと、合鍵５Ｂをキーガイド４から抜き取る。
【００９６】
第２位置から第３位置に至る間に取付対象物１０が施錠されることについては、コンストラクションキー５Ａ使用時と同じであることは勿論である。
【００９７】
上記は合鍵５Ｂを初めて使用した場合の説明であるが、その後合鍵５Ｂを使用する場合は、休止タンブラー６−３〜６−６が解除タンブラー６−８を除く他のタンブラーと同様に施解錠を制御するように作用する。
【００９８】
図１１に示すコンストラクションキー５Ａと図１２に示す合鍵５Ｂを比較すると、休止タンブラー６−３〜６−６に係合する位置にある鍵溝５２は、コンストラクションキー５Ａの方は深くカットされ、合鍵５Ｂの方は正規の鍵溝としての深さを有している。
【００９９】
これは、コンストラクションキー５Ａを使用する者（例えば取付対象物の施工業者）が合鍵５Ｂの休止タンブラー６−３〜６−６に係合する位置にある鍵溝５２のコピーを取ることができないようにするためであって、錠の保安上大いに有効である。
【０１００】
又、コンストラクションキー５Ａの解除タンブラー６−８と係合する位置にある鍵孔５２の幅を特に広くとってあるのは、コンストラクションキーを鍵孔４１に無造作に挿入してシャンクの先端が突当たるまで挿入せずに回動させたとき、シャンクの側端縁が不用意に解除タンブラー６−８を動かすことを防止するためである。
【０１０１】
なお、上記の状態でコンストラクションキーを回動させると、休止タンブラー６−３〜６−６の差込み穴６１の当接部６３にはシャンクの側縁が当接し、一方、休止タンブラーは係止片３との係合により長さ方向の動きが制止されているので、コンストラクションキー５Ａの回動は９０°に達する前に停止させられることとなる。
【０１０２】
又、この実施例においては、休止タンブラー６−３〜６−６についてのみ突起６６を形成させてあるが、タンブラーの製作上プレス型の種類を少なくするために他のタンブラー６−１、６−２、６−７についても突起を形成させてもよい。但し、この場合、係止片３との係合は休止タンブラーのみについて行うことが必要であるのはいうまでもない。
【０１０３】
【発明の効果】
以上に説明したこの発明のカップ錠によれば、係止状態にある外筒を回動可能にするために各タンブラの両端を共にシアーラインに合致させるについて、各タンブラのシアーラインに対する整合作用は、鍵の当初の差込み位置から右又は左に９０°回動させることにより行うことができるようにしてあるから、鍵溝における溝の前後に案内斜面は設ける必要がなく、従って、内筒内に装着される複数のタンブラにおける隣り合う２つのタンブラー間の間隔は十分に小さくすることができ、カップ錠全体としての鍵の差込み方向の寸法を十分に小さくすることができるという効果を奏する。
【０１０４】
また、鍵の製作時、複数のタンブラーのうち少なくとも１個を休止タンブラーとして施解錠の制御機能を休止させておいて、この状態ではコンストラクションキーによる施解錠操作を可能とし、一方、合鍵による最初の施解錠操作によって解除タンブラーを作用させ、もって休止タンブラーの施解錠の制御機能を復帰させるようにして、この時点以降コンストラクションキーによる施解錠操作を不可能としたから、鍵の保安上も大きな効果を奏する。
【図面の簡単な説明】
【図１】  この発明のカップ錠の実施例を示す部分縦断側面図。
【図２】  図１のＩＩ−ＩＩ線による一部断面正面図。
【図３】  図１のカップ錠の正面図。
【図４】  その背面図。
【図５】  図１のカップ錠から保持棒と共に取外した内筒の縦断側面図。
【図６】  図１のカップ錠から取外したタンブラーの１つを示す正面図。
【図７】  図１のカップ錠から取外したタンブラーの他の１つを示す正面図。
【図８】  図１のカップ錠から取外した休止タンブラーの一つを示す正面図。
【図９】  図１のカップ錠から取外した休止タンブラーの他の一つをを示す正面図。
【図１０】  図１のカップ錠から取外した解除タンブラーの正面図。
【図１１】  この発明のカップ錠に対して用いられるコンストラクションキーの一例を示す側面図。
【図１２】  この発明のカップ錠に対して用いられる合鍵の一例を示す図で、（Ａ）は側面図、（Ｂ）はそのシャンクの横断面図である。
【図１３】  この発明のカップ錠に合鍵を差し込んだ状態を示す横断正面図で、合鍵は第１位置にある。
【図１４】  合鍵を第１位置から右回りに９０°回動させた第２位置を占めるように示した横断正面図。
【図１５】  この発明のカップ錠の実施例を示す横断側面図で、係止片が休止タンブラーに係合した状態を示す。
【図１６】  図１５のＸＶＩ−ＸＶＩ線による一部断面正面図。
【図１７】  図１５のカップ錠にコンストラクションキー或いは合鍵を挿入した状態を示す縦断側面図。
【図１８】  解除タンブラーの作用を説明するための説明図。
【図１９】図１７のＸＩＸ−ＸＩＸ線による一部断面正面図で、コンストラクションキーは第１位置にある。
【図２０】  コンストラクションキーを第１位置から右回りに９０°回動させた第２位置を占めるように示した一部断面正面図。
【符号の説明】
１０  取付対象物
１  内筒
１１  前面板
１５  貫通スリット
２  外筒
２１  底板
２５  係合スリット
３   係止片
４１  鍵孔
５Ａ  コンストラクションキー
５Ｂ  合鍵
５１  シャンク
５２  鍵溝
５２ａ  谷部
６  タンブラー
６ａ  一端
６１  差込み穴
６２  逃がし部
６３  当接部
６５  タンブラばね
６７  係止スロット
６８  板カム
６９  斜縁
７  案内手段
８  クラッチ手段
Ｑ  基準点
Ｒ  回転中心点
Ｓ  シアーライン
【図１】
0004165621.tif 000002
【図２】
0004165621.tif 000003
【図３】
0004165621.tif 000004
【図４】
0004165621.tif 000005
【図５】
0004165621.tif 000006
【図６】
0004165621.tif 000007
【図７】
0004165621.tif 000008
【図８】
0004165621.tif 000009
【図９】
0004165621.tif 000010
【図１０】
0004165621.tif 000011
【図１１】
0004165621.tif 000012
【図１２】
0004165621.tif 000013
【図１３】
0004165621.tif 000014
【図１４】
0004165621.tif 000015
【図１５】
0004165621.tif 000016
【図１６】
0004165621.tif 000017
【図１８】
0004165621.tif 000018
【図１７】
0004165621.tif 000019
【図１９】
0004165621.tif 000020
【図２０】
0004165621.tif 000021